(57)【要約】【課題】キーパッドのキーの個数を増加させてキーの使用制限をなくすと共に、キー制御のための制御部のピンの個数を少なく使用しながらキーパッドのキーの個数を増加させることができる移動通信端末機のキー制御装置及びその方法を提供する。【解決手段】移動通信端末機のキー制御装置は、キーが入力されるとインタラプトを発生するインターフェースチップ２００と、前記インターフェースチップ２００の出力ポートと入力ポートとを連結するキー入力部３００と、前記インターフェースチップ２００のレジスタをアクセスするための所定個数の住所ピン１０１〜１０３、所定の通信方式で前記直列データを前記インターフェースチップ２００とやり取りするための所定個数のデータピン１０４、１０５、及び前記インタラプトを受信するためのインタラプトピン１０６を利用して、前記キー入力部３００に入力されたキーを認識する制御部１００とを含む。【選択図】図１
2006178957.tif 000002
【特許請求の範囲】
【請求項１】
並列データと直列データ間の変換を行い、キーが入力されるとインタラプトを発生するインターフェースチップと、
使用者から入力されたキーを前記インターフェースチップに入力するために、前記インターフェースチップの出力ポートと入力ポートとを連結するキー入力部と、
前記インターフェースチップのレジスタをアクセスするための所定個数の住所ピン、所定の通信方式で前記直列データを前記インターフェースチップとやり取りするための所定個数のデータピン、及び前記インタラプトを受信するためのインタラプトピンを利用して、前記キー入力部に入力されたキーを認識する制御部と、
を含んで構成されることを特徴とする移動通信端末機のキー制御装置。
【請求項２】
前記インターフェースチップは、
前記制御部から伝送される直列データを、前記制御部から出力される住所によって並列データに保存し、逆に、並列データを、前記制御部の制御によって直列データに変換するためのレジスタと、
前記キー入力部と前記レジスタ間に連結され、所定ビットの並列データを入出力するための第１及び第２入出力ポートと、
前記キー入力部から前記第１及び第２入出力ポートのうち１つにキーが入力されると前記インタラプトを発生するための第１トランジスタと、
を含むことを特徴とする請求項１に記載の移動通信端末機のキー制御装置。
【請求項３】
前記第１及び第２入出力ポートのうち１つが出力ポートに設定されると、残りの他の１つは入力ポートに設定されることを特徴とする請求項２に記載の移動通信端末機のキー制御装置。
【請求項４】
前記所定の通信方式によって、前記制御部から伝送される直列データをフィルタリングして前記レジスタに伝送する入力フィルタと、
前記レジスタから読み込んだ直列データを前記制御部に伝送するための第２トランジスタと、
前記インターフェースチップのパワーをオン／オフするか、または前記インターフェースチップをリセットするためのパワー制御部と、
をさらに含むことを特徴とする請求項２に記載の移動通信端末機のキー制御装置。
【請求項５】
前記所定の通信方式は、Ｉ２Ｃ（または、ＩＩＣ（Ｉｎｔｅｒ  Ｉｎｔｅｇｒａｔｅｄ  Ｃｉｒｃｕｉｔ））方式、マイクロ−ワイヤ方式及び一般直列通信方式を含むことを特徴とする請求項４に記載の移動通信端末機のキー制御装置。
【請求項６】
前記制御部は、前記インタラプトピンにインタラプトが入力されると、前記住所ピンを通して前記インターフェースチップのレジスタをアクセスして、前記キー入力部に入力されたキーによって、入力ポートを通して前記レジスタに入力された並列データを前記データピンを通して読み込み、該読み込んだ直列データを既保存された直列データと比較して、前記入力されたキーに連結された入力ピンを検索することを特徴とする請求項１に記載の移動通信端末機のキー制御装置。
【請求項７】
前記制御部は、前記インターフェースチップの出力ポートの各出力ピンのデータを順次変化させた各直列データ列を前記インターフェースチップに出力し、各直列データ列が前記キー入力部を通して前記インターフェースチップの入力ポートの各入力ピンに入力された後、レジスタに保存された並列データを所定の直列通信方式で前記データピンを通して読み込み、何れの直列データ列が前記検索された入力ピンのデータを変化させたかを確認して、前記入力されたキーに連結された出力ピンを検索することを特徴とする請求項６に記載の移動通信端末機のキー制御装置。
【請求項８】
前記住所ピンの個数は３つで、前記データピンの個数は所定の直列通信方式によって１つまたは２つで、前記インタラプトピンの個数は１つであることを特徴とする請求項１に記載の移動通信端末機のキー制御装置。
【請求項９】
制御部、インターフェースチップ及びキー入力部により構成された移動通信端末機において、
制御部のインタラプトピンにインターフェースチップからインタラプトが伝送されると、前記制御部が、キー入力部のキーの入力を感知する過程と、
キーの入力が感知されると、前記制御部が、直列通信データピンを通して前記インターフェースチップから直列データを読み込む過程と、
前記読み込んだ直列データと既保存された直列データとを比較して、前記制御部が、前記キーに連結された前記インターフェースチップの入力ピンを検索する過程と、
前記制御部が、前記インターフェースチップの各出力ピンのデータを順次変化させた複数の直列データ列を、前記直列通信データピンを通して前記インターフェースチップに順次出力して、前記キーに連結された前記インターフェースチップの出力ピンを検索する過程と、
を含むことを特徴とする移動通信端末機のキー制御方法。
【請求項１０】
前記インタラプトは、前記キー入力部にキーが入力されたときに、前記インターフェースチップにより出力されることを特徴とする請求項９に記載の移動通信端末機のキー制御方法。
【請求項１１】
前記制御部が、前記直列通信データピンを通して初期化直列データを、住所ピンを通して住所を、前記インターフェースチップに出力する過程と、
前記インターフェースチップが、前記住所に該当するレジスタ領域に前記初期化直列データを並列に保存した後、初期化並列データを出力ポートを通して前記キー入力部に出力する過程と、
をさらに含むことを特徴とする請求項９に記載の移動通信端末機のキー制御方法。
【請求項１２】
前記キーの入力を感知する過程は、
外部からキーが入力されると、前記キー入力部が、入力されたキーに該当する前記インターフェースチップの出力ピンと前記インターフェースチップの入力ピンとを連結して、前記インターフェースチップの各入力ピンの入力並列データを更新する過程と、
前記入力並列データが更新されると、前記インターフェースチップが、前記インタラプトを前記制御部のインタラプトピンに出力する過程と、
を含むことを特徴とする請求項９に記載の移動通信端末機のキー制御方法。
【請求項１３】
前記インターフェースチップの出力ピンを検索する過程は、
前記制御部が、前記インターフェースチップの各出力ピンのデータを順次変化させた複数の直列データ列を、前記インターフェースチップに１つずつ伝送する過程と、
前記インターフェースチップに伝送された各直列データ列に対する前記インターフェースチップの各入力ピンの各入力並列データを、前記直列通信データピンを通して前記制御部が順次読み込む過程と、
前記制御部が前記直列通信データピンを通して読み込んだ入力直列データ列のうち、何れの入力直列データ列が前記検索された入力ピンのデータを変化させたかを確認して、前記入力されたキーに連結された出力ピンを検索する過程と、
を含むことを特徴とする請求項９に記載の移動通信端末機のキー制御方法。
【請求項１４】
前記各直列データ列に対する各入力並列データは、前記各直列データ列が前記インターフェースチップの出力ポートの各出力ピンを通して並列形態で前記キー入力部に出力されたとき、前記キー入力部に連結された前記インターフェースチップの入力ポートの各入力ピンの並列データを示すことを特徴とする請求項１３に記載の移動通信端末機のキー制御方法。
【請求項１５】
前記直列通信データピンは、Ｉ２Ｃ（または、ＩＩＣ）方式ピン、マイクロ−ワイヤ方式ピン及び一般直列通信方式ピンを含むことを特徴とする請求項９に記載の移動通信端末機のキー制御方法。
【発明の詳細な説明】
【技術分野】
【０００１】
本発明は、移動通信端末機のキー制御装置及びその方法に関するものである。
【背景技術】
【０００２】
図３は、従来の移動通信端末機のキー制御装置を示す構成図で、図示されたように、従来の移動通信端末機のキー制御装置は、信号を出力するための所定個数の出力ピンＫＢＣ＿０〜ＫＢＣ＿４を備える出力部、及び外部キーの入力により前記信号を受信する所定個数の入力ピンＫＢＲ＿０〜ＫＢＲ＿４を備える入力部を含む制御部１０と、使用者により操作されたキーの入力によって、前記出力部と前記入力部とを連結するキー入力部２０とを含んで構成される。
【０００３】
前記キー入力部２０は、前記所定個数の出力ピンＫＢＣ＿０〜ＫＢＣ＿４と前記所定個数の入力ピンＫＢＲ＿０〜ＫＢＲ＿４とが格子状に配列されて形成され、各出力ピンＫＢＣ＿０〜ＫＢＣ＿４と各入力ピンＫＢＲ＿０〜ＫＢＲ＿４とを連結するための複数のスイッチが備えられ、ここで、１つのスイッチが１つのキーをなす。
【０００４】
以下、このように構成された従来の移動通信端末機のキー制御装置の動作について説明する。
【０００５】
先ず、キー入力部２０の各スイッチは、キーの入力がないとき、制御部１０の各出力ピンＫＢＣ＿０〜ＫＢＣ＿４と各入力ピンＫＢＲ＿０〜ＫＢＲ＿４とを連結させない。前記制御部１０は、出力部の各出力ピンＫＢＣ＿０〜ＫＢＣ＿４を通して信号を出力し、入力部の各入力ピンＫＢＲ＿０〜ＫＢＲ＿４はロー状態の信号を維持する。
【０００６】
外部からキーが入力されると、即ち、前記キー入力部２０の該当スイッチが操作されると、出力部の該当出力ピンと入力部の該当入力ピンとが連結され、該当入力ピンに連結された出力ピンの信号はロー状態に変化する。前記ロー状態に変化された信号によりインタラプトが発生すると、前記制御部１０は、ロー信号に変化された出力ピンを確認する。その後、前記制御部１０は、前記確認された出力ピンに連結された入力ピンを確認するために、前記入力部の各入力ピンの信号を入力ピン毎に順次変化させて、前記出力ピンの信号を変化させる入力ピンを検索する。従って、前記制御部１０は、５個の入力ピンＫＢＲ＿０〜ＫＢＲ＿４と５個の出力ピンＫＢＣ＿０〜ＫＢＣ＿４とからなる２５個の組合から１個の組合を検索することで、入力されたキーを確認することができる。
【０００７】
このような従来の移動通信端末機のキー制御装置において、例えば、入力キーの個数が２５個のとき、これらの２５個のキーを制御するためには、５×５格子構造により、前記制御部１０は、１０個のピン（５個の入力ピン及び５個の出力ピン）が必要となる。しかしながら、従来の移動通信端末機においてキーパッドのキーの個数は限定されているため使用に制限がある。
【０００８】
従って、使用者の多様なサービス要求によって、移動通信端末機の外部入力キーの個数を増加させる必要がある。しかしながら、従来の移動通信端末機のキー制御装置において、制御部１０のピンの個数は、キー入力部２０のキーの個数の増加により増加するため、コンピュータのキーボードのように多い個数の入力キーを移動通信端末機に備えると、制御部１０に要求されるピンの個数もさらに増加するようになる。例えば、６４個の入力キーが必要な場合、８×８格子構造により、制御部１０には１６個のピンが使用されるべきである。
【特許文献１】韓国特許出願公開第２００４−００１０９１０号明細書
【特許文献２】特開２００３−１８６６０７号公報
【特許文献３】米国登録特許６，５０９，８４６号明細書
【発明の開示】
【発明が解決しようとする課題】
【０００９】
このような従来の移動通信端末機のキー制御装置においては、必要な入力キーの個数の増加によって制御部のピンの個数も大きく増加するので、入力キーの制御のために制御部に多過ぎるピンが割り当てられることで、制御部の性能を向上させることが難しいという問題点があった。
【００１０】
また、制御部のピンを他の機能のために設計し得る設計の容易性が顕著に低下するという問題点もあった。
【００１１】
本発明は、このような従来技術の問題点を解決するためになされたもので、キーパッドのキーの個数を増加させてキーの使用制限をなくすと共に、キー制御のための制御部のピンの個数を少なく使用しながらキーパッドのキーの個数を増加させることができる移動通信端末機のキー制御装置及びその方法を提供することを目的とする。
【００１２】
また、本発明の他の目的は、制御部が少ない個数のピンを利用して外部入力キーを制御し得る移動通信端末機のキー制御装置及びその方法を提供することにある。
【課題を解決するための手段】
【００１３】
このような目的を達成するために、本発明による移動通信端末機のキー制御装置は、並列データと直列データ間の変換を行い、キーが入力されるとインタラプトを発生するインターフェースチップと、使用者から入力されたキーを前記インターフェースチップに入力するために、前記インターフェースチップの出力ポートと入力ポートとを連結するキー入力部と、前記インターフェースチップのレジスタをアクセスするための所定個数の住所ピン、所定の通信方式で前記直列データを前記インターフェースチップとやり取りするための所定個数のデータピン、及び前記インタラプトを受信するためのインタラプトピンを利用して、前記キー入力部に入力されたキーを認識する制御部とを含んで構成されることを特徴とする。
【００１４】
そして、本発明による移動通信端末機のキー制御方法は、制御部、インターフェースチップ及びキー入力部により構成された移動通信端末機において、制御部のインタラプトピンにインターフェースチップからインタラプトが伝送されると、前記制御部が、キー入力部のキーの入力を感知する過程と、キーの入力が感知されると、前記制御部が、直列通信データピンを通して前記インターフェースチップから直列データを読み込む過程と、前記読み込んだ直列データと既保存された直列データとを比較して、前記制御部が、前記キーに連結された前記インターフェースチップの入力ピンを検索する過程と、前記制御部が、前記インターフェースチップの各出力ピンのデータを順次変化させた複数の直列データ列を、前記直列通信データピンを通して前記インターフェースチップに順次出力して、前記キーに連結された前記インターフェースチップの出力ピンを検索する過程とを含むことを特徴とする。
【００１５】
また、前記移動通信端末機のキー制御方法は、前記制御部が、前記直列通信データピンを通して初期化直列データを、住所ピンを通して住所を、前記インターフェースチップに出力する過程と、前記インターフェースチップが、前記住所に該当するレジスタ領域に前記初期化直列データを並列に保存した後、初期化並列データを出力ポートを通して前記キー入力部に出力する過程とをさらに含む。
【００１６】
上記目的を達成するために、本発明は、例えば、以下の手段を提供する。
【００１７】
（項目１）  並列データと直列データ間の変換を行い、キーが入力されるとインタラプトを発生するインターフェースチップと、
使用者から入力されたキーを前記インターフェースチップに入力するために、前記インターフェースチップの出力ポートと入力ポートとを連結するキー入力部と、
前記インターフェースチップのレジスタをアクセスするための所定個数の住所ピン、所定の通信方式で前記直列データを前記インターフェースチップとやり取りするための所定個数のデータピン、及び前記インタラプトを受信するためのインタラプトピンを利用して、前記キー入力部に入力されたキーを認識する制御部と、
を含んで構成されることを特徴とする移動通信端末機のキー制御装置。
【００１８】
（項目２）  前記インターフェースチップは、
前記制御部から伝送される直列データを、前記制御部から出力される住所によって並列データに保存し、逆に、並列データを、前記制御部の制御によって直列データに変換するためのレジスタと、
前記キー入力部と前記レジスタ間に連結され、所定ビットの並列データを入出力するための第１及び第２入出力ポートと、
前記キー入力部から前記第１及び第２入出力ポートのうち１つにキーが入力されると前記インタラプトを発生するための第１トランジスタと、
を含むことを特徴とする請求項１に記載の移動通信端末機のキー制御装置。
【００１９】
（項目３）  前記第１及び第２入出力ポートのうち１つが出力ポートに設定されると、残りの他の１つは入力ポートに設定されることを特徴とする請求項２に記載の移動通信端末機のキー制御装置。
【００２０】
（項目４）  前記所定の通信方式によって、前記制御部から伝送される直列データをフィルタリングして前記レジスタに伝送する入力フィルタと、
前記レジスタから読み込んだ直列データを前記制御部に伝送するための第２トランジスタと、
前記インターフェースチップのパワーをオン／オフするか、または前記インターフェースチップをリセットするためのパワー制御部と、
をさらに含むことを特徴とする請求項２に記載の移動通信端末機のキー制御装置。
【００２１】
（項目５）  前記所定の通信方式は、Ｉ２Ｃ（または、ＩＩＣ（Ｉｎｔｅｒ  Ｉｎｔｅｇｒａｔｅｄ  Ｃｉｒｃｕｉｔ））方式、マイクロ−ワイヤ方式及び一般直列通信方式を含むことを特徴とする請求項４に記載の移動通信端末機のキー制御装置。
【００２２】
（項目６）  前記制御部は、前記インタラプトピンにインタラプトが入力されると、前記住所ピンを通して前記インターフェースチップのレジスタをアクセスして、前記キー入力部に入力されたキーによって、入力ポートを通して前記レジスタに入力された並列データを前記データピンを通して読み込み、該読み込んだ直列データを既保存された直列データと比較して、前記入力されたキーに連結された入力ピンを検索することを特徴とする請求項１に記載の移動通信端末機のキー制御装置。
【００２３】
（項目７）  前記制御部は、前記インターフェースチップの出力ポートの各出力ピンのデータを順次変化させた各直列データ列を前記インターフェースチップに出力し、各直列データ列が前記キー入力部を通して前記インターフェースチップの入力ポートの各入力ピンに入力された後、レジスタに保存された並列データを所定の直列通信方式で前記データピンを通して読み込み、何れの直列データ列が前記検索された入力ピンのデータを変化させたかを確認して、前記入力されたキーに連結された出力ピンを検索することを特徴とする請求項６に記載の移動通信端末機のキー制御装置。
【００２４】
（項目８）  前記住所ピンの個数は３つで、前記データピンの個数は所定の直列通信方式によって１つまたは２つで、前記インタラプトピンの個数は１つであることを特徴とする請求項１に記載の移動通信端末機のキー制御装置。
【００２５】
（項目９）  制御部、インターフェースチップ及びキー入力部により構成された移動通信端末機において、
制御部のインタラプトピンにインターフェースチップからインタラプトが伝送されると、前記制御部が、キー入力部のキーの入力を感知する過程と、
キーの入力が感知されると、前記制御部が、直列通信データピンを通して前記インターフェースチップから直列データを読み込む過程と、
前記読み込んだ直列データと既保存された直列データとを比較して、前記制御部が、前記キーに連結された前記インターフェースチップの入力ピンを検索する過程と、
前記制御部が、前記インターフェースチップの各出力ピンのデータを順次変化させた複数の直列データ列を、前記直列通信データピンを通して前記インターフェースチップに順次出力して、前記キーに連結された前記インターフェースチップの出力ピンを検索する過程と、
を含むことを特徴とする移動通信端末機のキー制御方法。
【００２６】
（項目１０）  前記インタラプトは、前記キー入力部にキーが入力されたときに、前記インターフェースチップにより出力されることを特徴とする請求項９に記載の移動通信端末機のキー制御方法。
【００２７】
（項目１１）  前記制御部が、前記直列通信データピンを通して初期化直列データを、住所ピンを通して住所を、前記インターフェースチップに出力する過程と、
前記インターフェースチップが、前記住所に該当するレジスタ領域に前記初期化直列データを並列に保存した後、初期化並列データを出力ポートを通して前記キー入力部に出力する過程と、
をさらに含むことを特徴とする請求項９に記載の移動通信端末機のキー制御方法。
【００２８】
（項目１２）  前記キーの入力を感知する過程は、
外部からキーが入力されると、前記キー入力部が、入力されたキーに該当する前記インターフェースチップの出力ピンと前記インターフェースチップの入力ピンとを連結して、前記インターフェースチップの各入力ピンの入力並列データを更新する過程と、
前記入力並列データが更新されると、前記インターフェースチップが、前記インタラプトを前記制御部のインタラプトピンに出力する過程と、
を含むことを特徴とする請求項９に記載の移動通信端末機のキー制御方法。
【００２９】
（項目１３）  前記インターフェースチップの出力ピンを検索する過程は、
前記制御部が、前記インターフェースチップの各出力ピンのデータを順次変化させた複数の直列データ列を、前記インターフェースチップに１つずつ伝送する過程と、
前記インターフェースチップに伝送された各直列データ列に対する前記インターフェースチップの各入力ピンの各入力並列データを、前記直列通信データピンを通して前記制御部が順次読み込む過程と、
前記制御部が前記直列通信データピンを通して読み込んだ入力直列データ列のうち、何れの入力直列データ列が前記検索された入力ピンのデータを変化させたかを確認して、前記入力されたキーに連結された出力ピンを検索する過程と、
を含むことを特徴とする請求項９に記載の移動通信端末機のキー制御方法。
【００３０】
（項目１４）  前記各直列データ列に対する各入力並列データは、前記各直列データ列が前記インターフェースチップの出力ポートの各出力ピンを通して並列形態で前記キー入力部に出力されたとき、前記キー入力部に連結された前記インターフェースチップの入力ポートの各入力ピンの並列データを示すことを特徴とする請求項１３に記載の移動通信端末機のキー制御方法。
【００３１】
（項目１５）  前記直列通信データピンは、Ｉ２Ｃ（または、ＩＩＣ）方式ピン、マイクロ−ワイヤ方式ピン及び一般直列通信方式ピンを含むことを特徴とする請求項９に記載の  移動通信端末機のキー制御方法。
【発明の効果】
【００３２】
本発明による移動通信端末機のキー制御装置及びその方法においては、キー入力部の並列データと直列データ間の変換を行うインターフェースチップを移動通信端末機の制御部とキー入力部との間に備え、前記インターフェースチップのレジスタをリード及びライトするための住所先の３つのピン、前記直列データを前記インターフェースチップとやり取りするための２つのピン、及びインタラプトを前記インターフェースチップから受信するための１つのピンを利用することで、前記制御部は少ない個数のピンにより多い個数のキーを備えたキー入力部を制御し得るという効果がある。
【００３３】
本発明においては、多くの入力キーを制御するために少ない個数の制御部のピンが用いられるため、移動通信端末機の設計が容易になるという効果がある。
【００３４】
本発明は、今後使用が増加すると予想されるチャットフォン（ｃｈａｔｔｉｎｇ  ｐｈｏｎｅ）に必要な多い個数のキーの入力に活用し得るという効果がある。
【発明を実施するための最良の形態】
【００３５】
本発明は、並列データと直列データ間の変換を行うインターフェースチップを移動通信端末機の制御部とキー入力部との間に備え、前記制御部の直列データを前記インターフェースチップを通して並列データに変換して前記キー入力部に出力し、前記キー入力部の並列データを前記インターフェースチップを通して直列データに変換して前記制御部に伝送することで、前記制御部は、少ない個数のピンを利用して、多い個数のキーを備えたキー入力部を制御することができる。
【００３６】
図１は、本発明による移動通信端末機のキー制御装置を示す構成図で、図示されたように、本発明による移動通信端末機のキー制御装置は、並列データと直列データ間の変換を行い、キーが入力されるとインタラプトを発生するインターフェースチップ２００と、使用者から前記キーが入力されると、前記インターフェースチップ２００の出力ポートと入力ポートとを連結して、前記入力されたキーを前記インターフェースチップ２００に伝送するキー入力部３００と、前記インターフェースチップ２００のレジスタをアクセスするための住所先のための３つのピン１０１〜１０３、所定の通信方式で前記直列データを前記インターフェースチップ２００とやり取りするための２つのピン１０４、１０５、及び前記インタラプトを受信するための１つのピン１０６を利用して、前記入力されたキーを認識する制御部１００とを含んで構成される。
【００３７】
ここで、前記所定の通信方式は、Ｉ２Ｃ（または、ＩＩＣ（Ｉｎｔｅｒ  Ｉｎｔｅｇｒａｔｅｄ  Ｃｉｒｃｕｉｔ））方式、マイクロ−ワイヤ方式及び一般直列通信方式を含む。
【００３８】
また、前記インターフェースチップ２００は、前記所定の通信方式により、前記制御部１００から伝送される直列データをフィルタリングするための入力フィルタ２１０と、前記入力フィルタ２１０を通して受信された直列データを、前記制御部１００から出力される住所によって並列データに保存し、逆に、並列データを、前記制御部１００の制御によって直列方式に変換するためのレジスタ２２０と、所定ビットの第１並列データを前記レジスタ２２０と送受信するための第１入出力（Ｉ／Ｏ）ポート２３０と、所定ビットの第２並列データを前記レジスタ２２０と送受信するための第２入出力ポート２４０と、キーが入力されると、前記インタラプトを発生するための第１トランジスタ２５０と、直列データを前記レジスタ２２０から前記制御部１００に伝送するための第２トランジスタ２１５と、前記インターフェースチップ２００のパワーをオン／オフするか、または前記インターフェースチップ２００をリセットするためのパワー制御部２６０とを含んで構成される。
【００３９】
また、前記第１入出力ポート２３０が出力ポートに設定されると、前記第２入出力ポート２４０は入力ポートに設定され、前記第１入出力ポート２３０が入力ポートに設定されると、前記第２入出力ポート２４０は出力ポートに設定される。
【００４０】
また、前記キー入力部３００は、前記第１入出力ポート２３０の複数のピンと前記第２入出力ポート２４０の複数のピンとにより格子構造をなす。
【００４１】
以下、このように構成された本発明による移動通信端末機のキー制御装置の動作について説明する。
【００４２】
前記キー入力部３００のキーが６４個で、前記第１及び第２入出力ポート２３０、２４０がそれぞれ８個のピンを備えている場合について説明する。
【００４３】
まず、制御部１００は、任意の直列データを直列ポート１０４、１０５を通して、前記直列データを保存すべき該当住所を住所先ピン１０１〜１０３を通して、インターフェースチップ２００に出力する。ここで、前記直列ポートとしては、Ｉ２Ｃポート、マイクロ−ワイヤポートまたは一般直列ポートを使用することができる。
【００４４】
前記直列データは、前記インターフェースチップ２００のレジスタ２２０の前記該当住所に並列形態で保存される。前記第１入出力ポート２３０が出力ポートに設定され、前記第２入出力ポート２４０が入力ポートに設定された場合、前記レジスタ２２０に保存された並列データは、前記第１入出力ポート２３０の各出力ピンＩ／Ｏ０〜Ｉ／Ｏ７を通してキー入力部３００に出力される。
【００４５】
以下、図２に示すように、前記第１入出力ポート２３０の各出力ピンＩ／Ｏ０〜Ｉ／Ｏ７を通して１１１１のデータが同時に出力されており（Ａ）、第２入出力ポート２４０の各入力ピンＩ／Ｏ８〜Ｉ／Ｏ１５は００００のデータを有する（Ｂ）と仮定して説明する。
【００４６】
キー入力部３００の該当キーが使用者により入力されると、入力されたキーに連結された第１入出力ポート２３０の該当出力ピンと、第２入出力ポート２４０の該当入力ピンとが互いに連結される。従って、前記該当出力ピンの信号が前記該当入力ピンに入力されて前記入力ピンの信号が変化し、前記入力ピンの信号の変化により、第１トランジスタ２５０はインタラプト信号を出力する。例えば、図２に示すように、第１出力ピンＩ／Ｏ０と第２入力ピンＩ／Ｏ９とを連結するキーが使用者により入力されると、前記第１出力ピンＩ／Ｏ０と前記第２入力ピンＩ／Ｏ９とが互いに連結されて、前記第１出力ピンＩ／Ｏ０のデータ１１１１は、前記第２入力ピンＩ／Ｏ９に入力され、残りの出力ピンＩ／Ｏ１〜Ｉ／Ｏ７のデータは、該当入力ピンＩ／Ｏ８、Ｉ／Ｏ１０〜Ｉ／Ｏ１５に入力されない。従って、図２のＣのような並列データが第２入出力ポート２４０に受信され、その受信された並列データの変化によりインタラプト信号が発生する。そして、前記各入力ピンＩ／Ｏ８〜Ｉ／Ｏ１５に入力された信号、即ち、並列データ（図２のＣ）は、インターフェースチップ２００のレジスタ２２０に保存される。
【００４７】
前記インタラプト信号により、制御部１００は、住所先ピン１０１〜１０３を通して前記インターフェースチップ２００のレジスタ２２０をアクセスし、直列ポート１０５を通して前記入力された並列データＣを読み込む。
【００４８】
制御部１００は、前記第２入出力ポート２４０の各入力ピンＩ／Ｏ８〜Ｉ／Ｏ１５の以前の並列データ（Ｂ）を保存しているが、前記以前の並列データ（Ｂ）と現在読み込んだ並列データ（Ｃ）とを比較して、変化されたデータに該当する入力ピン、即ち、第２入力ピンＩ／Ｏ９を確認する。
【００４９】
その後、前記入力キーに該当する出力ピンを確認するために、制御部１００は、各出力ピンＩ／Ｏ０〜Ｉ／Ｏ７の出力データを順次変化させて、所定の直列通信方式で８個の直列データ列をインターフェースチップ２００のレジスタ２２０に順次伝送する。
【００５０】
すると、インターフェースチップ２００は、レジスタ２２０を通して、前記各直列データ列を各並列データに変換して、第１入出力ポート２３０に出力し、その出力された各並列データは、キー入力部３００及び第２入出力ポート２４０を通して、前記レジスタ２２０に入力され、制御部１００は、前記レジスタ２２０にアクセスして、前記入力された各並列データを所定の直列通信方式で順次読み込む。その後、制御部１００は、その読み込んだ直列データ列で前記確認された入力ピン（第２入力ピンＩ／Ｏ９に該当）に該当するデータが変化されたか否かをチェックする過程を、各直列データ列に対し順次行う。
【００５１】
即ち、制御部１００が、第１出力ピンＩ／Ｏ０の出力データを変化させた第１直列データ列をインターフェースチップ２００に出力した後、前記第１直列データ列が並列データに変換されて、第１入出力ポート２３０、キー入力部３００及び第２入出力ポートを通してレジスタ２２０に入力されたとき、制御部１００は、前記レジスタ２２０をアクセスして前記並列データを所定の直列通信方式で読み込み、その読み込んだ直列データ列で前記確認された入力ピン（第２入力ピンＩ／Ｏ９に該当）に該当するデータが変化されたか否かをチェックする。
【００５２】
前記第２入力ピンＩ／Ｏ９に該当するデータが変化されていると、制御部１００は、前記第１出力ピンＩ／Ｏ０が前記入力されたキーに連結されていると判断する。
【００５３】
しかしながら、前記第２入力ピンＩ／Ｏ９に該当するデータが変化されていないと、制御部１００は、第２出力ピンＩ／Ｏ１の出力データを変化させた第２直列データ列をインターフェースチップ２００に出力し、第２出力ピンＩ／Ｏ１が前記入力されたキーに連結されているかを確認する手順を行う。このように、制御部１００は、第１入出力ポート２３０の各出力ピンＩ／Ｏ０〜Ｉ／Ｏ７の出力データを変化させた８個の直列データ列に対し確認手順を順次行う。
【００５４】
このような方法で、制御部１００は、前記入力されたキーに連結された入力ピンを検索し、インターフェースチップ２００の各出力ピンの値を順次変化させて出力し、前記検索された入力ピンのデータを変化させる出力ピンをチェックすることで、８×８格子のキー組合のうち、入力されたキーを検索する。
【００５５】
従って、本発明は、制御部１００が住所先ピン、直列データ先ピン及びインタラプトピンを利用してキー入力部３００のキー入力を受けることができ、少ない個数の制御部のピンにより多い個数の入力キーを制御することができる。
【００５６】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【００５７】
キーパッドのキーの個数を増加させてキーの使用制限をなくすと共に、キー制御のための制御部のピンの個数を少なく使用しながらキーパッドのキーの個数を増加させることができる移動通信端末機のキー制御装置及びその方法を提供する。
【００５８】
移動通信端末機のキー制御装置は、並列データと直列データ間の変換を行い、キーが入力されるとインタラプトを発生するインターフェースチップ２００と、使用者から入力されたキーを前記インターフェースチップ２００に入力するために、前記インターフェースチップ２００の出力ポートと入力ポートとを連結するキー入力部３００と、前記インターフェースチップ２００のレジスタをアクセスするための所定個数の住所ピン１０１〜１０３、所定の通信方式で前記直列データを前記インターフェースチップ２００とやり取りするための所定個数のデータピン１０４、１０５、及び前記インタラプトを受信するためのインタラプトピン１０６を利用して、前記キー入力部３００に入力されたキーを認識する制御部１００とを含む。
【図面の簡単な説明】
【００５９】
【図１】本発明による移動通信端末機のキー制御装置を示す構成図である。
【図２】キーの入力によるインターフェースチップの入力ピンの入力並列データの変化を示す図である。
【図３】従来の移動通信端末機のキー制御装置を示す構成図である。
【符号の説明】
【００６０】
１００  制御部
２００  インターフェースチップ
２１０  入力フィルタ
２２０  レジスタ
２３０  第１入出力ポート
２４０  第２入出力ポート
２５０  第１トランジスタ
２１５  第２トランジスタ
２６０  パワー制御部
【図１】
2006178957.tif 000003
【図２】
2006178957.tif 000004
【図３】
2006178957.tif 000005